(57)【要約】【課題】毛髪化粧料の飛散を防止することができるとともに、特に、櫛全体に均一に毛髪化粧料をいきわたらせることができる櫛付き毛髪化粧料容器を提供する。【解決手段】櫛付き毛髪化粧料容器１０は、毛髪化粧料が加圧状態で収容される容器本体１２と櫛本体１４とを備える。櫛本体１４は、中空部１６が形成された櫛基部１８を有し、櫛基部１８に櫛歯２０が立設される。櫛基部１８は、中空部１６に連通して、容器本体１２に最も近い側から遠い側に向けて径が次第に大きく、かつ拡大傾斜角が次第に小さい、４つの拡大孔形状の孔４２ａ〜４２ｄが形成される。孔４２ａ〜４２ｄに連通してチューリップの花の形状の拡大筒状案内部４４ａ〜４４ｄが、櫛歯２０よりも低い高さで立設される。【選択図】図１Ａ
0003121212.tif 000002
【実用新案登録請求の範囲】
【請求項１】
容器本体と該容器本体から延出される櫛本体とを備え、該容器本体には毛髪化粧料が加圧状態で収容され、該櫛本体は中空部を有する櫛基部に多数の櫛歯が立設されるとともに、該櫛基部の該櫛歯が立設される側の面に該容器本体内および該中空部に連通して形成される孔を有し、該孔から毛髪化粧料を吐出可能に構成してなる櫛付き毛髪化粧料容器において、
該孔が、該櫛基部の長手方向中央に複数設けられるとともに、該孔の径が該容器本体に近い側から遠い側に向けて次第に大きくなるように形成されてなることを特徴とする櫛付き毛髪化粧料容器。
【請求項２】
前記孔が、出口に向けて径が拡大する拡大孔であり、該拡大孔の拡大傾斜角が該容器本体に近い側から遠い側に向けて次第に小さくなるように形成されてなることを特徴とする請求項１記載の櫛付き毛髪化粧料容器。
【請求項３】
前記孔の外周に該孔に連通して立設され、該孔から吐出される毛髪化粧料を案内する拡大筒状案内部が設けられてなることを特徴とする請求項１または２記載の櫛付き毛髪化粧料容器。
【請求項４】
前記拡大筒状案内部の周壁に、該孔から遠い側の端部を起点とするスリットが形成されてなることを特徴とする請求項３記載の櫛付き毛髪化粧料容器。
【請求項５】
前記拡大筒状案内部がチューリップの花の形状に形成されてなることを特徴とする請求項４記載の櫛付き毛髪化粧料容器。
【請求項６】
前記拡大筒状案内部の高さが、前記櫛歯の高さよりも低く形成されてなることを特徴とする請求項３〜５のいずれか１項に記載の櫛付き毛髪化粧料容器。
【請求項７】
使用時に前記容器本体内と前記櫛基部の前記中空部を連通させる操作部の動きをロックするロック機構が設けられてなることを特徴とする請求項１〜６のいずれか１項に記載の櫛付き毛髪化粧料容器。
【請求項８】
前記容器本体と前記櫛本体の前記櫛基部にそれぞれ環状部が設けられ、２つの環状部を着脱可能に嵌合するとともに、嵌合状態の該２つの環状部を着脱可能に係合する係合機構が設けられてなることを特徴とする請求項１〜６のいずれか１項に記載の櫛付き毛髪化粧料容器。
【考案の詳細な説明】
【技術分野】
【０００１】
本考案は、毛髪化粧料を塗布するために用いられる櫛付き毛髪化粧料容器に関する。
【背景技術】
【０００２】
液状あるいはムース状の整髪料や毛染め料等の毛髪化粧料を簡便に毛髪に塗布するツールとして櫛付き毛髪化粧料容器（ブラシ付きエアゾール）が広く検討されている。
【０００３】
櫛付き毛髪化粧料容器は、容器本体と、容器本体から着脱可能に延出して取り付けられる櫛本体とを備える。容器本体には毛髪化粧料が例えば０．５ＭＰａ程度の加圧状態で収容される。
櫛本体は、櫛基部を備え、櫛基部に多数の櫛歯が立設される。櫛基部は、櫛使用時に容器本体内に連通する中空部を有するとともに、櫛歯が立設される側の面に、中空部に連通する孔が形成される。
容器本体内にはバルブ機構が設けられており、バルブ機構を動作させる押しボタン等の操作部を操作することにより、容器本体内から流出した毛髪化粧料が櫛基部の中空部を経由して孔から吐出される。
そして、孔から吐出された毛髪化粧料が孔の外部に滞留した状態で、櫛本体で毛髪をブラッシングすることにより、毛髪化粧料が毛髪に塗布される。
【０００４】
ところが、従来の櫛付き毛髪化粧料容器は、孔から吐出された毛髪化粧料が櫛本体に留まらずに外部に飛散してしまう問題があった。
【０００５】
このため、毛髪化粧料の飛散を防止するいくつかの提案が行われている。
【０００６】
例えば、櫛基部の中空部に流動抵抗となる板を設けて、中空部における毛髪化粧料の流れを減勢したものや、同様の趣旨で櫛基部の中空部に泡放出管を設けたものが提案されている（特許文献１、２参照）。
【０００７】
しかしながら、上記の櫛付き毛髪化粧料容器は、必ずしも十分な塗布効果を与えるものではない。
【０００８】
このため、複数形成される孔の上部に毛髪化粧料の飛散を防止する飛散防止体を設けた櫛付き毛髪化粧料容器（毛髪化粧料塗布具）も提案されている（（特許文献３参照）。
この櫛付き毛髪化粧料容器によれば、毛髪化粧料の飛散を確実に防止して、毛髪化粧料を櫛本体の櫛基部（基台）に均一に分散することができるとされている。
【特許文献１】実開平５−９３２５２号公報
【特許文献２】実開平５−１５４０７号公報
【特許文献３】特開平８−１９４１８号公報
【考案の開示】
【考案が解決しようとする課題】
【０００９】
しかしながら、上記特許文献３のものも含め、従来の櫛付き毛髪化粧料容器はいずれも、毛髪化粧料の飛散を確実に防止することと、櫛本体の櫛基部の全体に均一に毛髪化粧料をいきわたらせることとを同時に実現するうえで必ずしも十分ではない。特許文献３のものは、飛散防止体の効果として、個々の孔の周辺に毛髪化粧料をいきわたらせることはできるものと思われるが、櫛基部の中空部における流動状態からみて、全ての孔から毛髪化粧料を均等に吐出して櫛基部の全体に均一に毛髪化粧料をいきわたらせることは難しいものと思われる。
【００１０】
本考案は、上記の課題に鑑みてなされたものであり、毛髪化粧料の飛散を防止することができるとともに、特に、櫛全体に均一に毛髪化粧料をいきわたらせることができる櫛付き毛髪化粧料容器を提供することを目的とする。
【課題を解決するための手段】
【００１１】
本考案に係る櫛付き毛髪化粧料容器は、
容器本体と該容器本体から延出される櫛本体とを備え、該容器本体には毛髪化粧料が加圧状態で収容され、該櫛本体は中空部を有する櫛基部に多数の櫛歯が立設されるとともに、該櫛基部の該櫛歯が立設される側の面に該容器本体内および該中空部に連通して形成された孔を有し、該孔から毛髪化粧料を吐出可能に構成してなる櫛付き毛髪化粧料容器において、
該孔が、該櫛基部の長手方向中央に複数設けられるとともに、該孔の径が該容器本体に近い側から遠い側に向けて次第に大きくなるように形成されてなることを特徴とする。
【００１２】
また、本考案に係る櫛付き毛髪化粧料容器は、前記孔が、出口に向けて径が拡大する拡大孔であり、該拡大孔の拡大傾斜角が該容器本体に近い側から遠い側に向けて次第に小さくなるように形成されてなることを特徴とする。
【００１３】
また、本考案に係る櫛付き毛髪化粧料容器は、前記孔の外周に該孔に連通して立設され、該孔から吐出される毛髪化粧料を案内する拡大筒状案内部が設けられてなることを特徴とする。
【００１４】
また、本考案に係る櫛付き毛髪化粧料容器は、前記拡大筒状案内部の周壁に、該孔から遠い側の端部を起点とするスリットが形成されてなることを特徴とする。
【００１５】
また、本考案に係る櫛付き毛髪化粧料容器は、前記拡大筒状案内部がチューリップの花の形状に形成されてなることを特徴とする。
【００１６】
また、本考案に係る櫛付き毛髪化粧料容器は、前記拡大筒状案内部の高さが、前記櫛歯の高さよりも低く形成されてなることを特徴とする。
【００１７】
また、本考案に係る櫛付き毛髪化粧料容器は、使用時に前記容器本体内と前記櫛基部の前記中空部を連通させる操作部の動きをロックするロック機構が設けられてなることを特徴とする。
【００１８】
また、本考案に係る櫛付き毛髪化粧料容器は、前記容器本体と前記櫛本体の前記櫛基部にそれぞれ環状部が設けられ、２つの環状部を着脱可能に嵌合するとともに、嵌合状態の該２つの環状部を着脱可能に係合する係合機構が設けられてなることを特徴とする。
【考案の効果】
【００１９】
本考案に係る櫛付き毛髪化粧料容器は、櫛基部に設けられる孔が、櫛基部の長手方向中央に複数設けられるとともに、孔の径が該容器本体に近い側から遠い側に向けて次第に大きくなるように形成されるため、毛髪化粧料の流動状態が櫛基部の中空部の容器本体に近い側から遠い側に向けて次第に圧力が低下する圧力分布を生じるときに、容器本体に近い側の孔から吐出される毛髪化粧料に高い流動抵抗が与えられるとともに容器本体から遠い側の孔から吐出される毛髪化粧料に低い流動抵抗が与えられるので、複数の孔全てから均等に毛髪化粧料を吐出することでき、櫛全体に均一に毛髪化粧料をいきわたらせることができる。
【考案を実施するための最良の形態】
【００２０】
本考案に係る櫛付き毛髪化粧料容器の好適な実施の形態について、図を参照して、以下に説明する。
【００２１】
本考案に係る櫛付き毛髪化粧料容器（以下、単に容器ということがある。）１０は、図１Ａの一部破断して示す全体側面図および図１Ｂの全体平面図に示すように、容器本体１２と、容器本体１２に、図１Ａ、図１Ｂ中、右方向に延出される櫛本体１４とを備える。
容器本体１２は、例えば金属材料で長筒缶形状に形成され、液状あるいはムース状の整髪料や毛染め料等の毛髪化粧料が、例えば０．５ＭＰａ程度の加圧状態で収容される。これらの毛髪化粧料の粘度は、常温で例えば５〜４０Ｐａ・ｓ程度である。
櫛本体１４は、例えば、樹脂材料で形成され、容器本体１２から図１Ａ、図１Ｂ中右方向に延出して長尺に形成される櫛基部１８を有する。櫛基部１８は、図１Ａ中左右方向に伸びる中空部１６を有するとともに、図１Ａ中上方向の表面に多数の櫛歯２０が立設される。櫛歯２０は、図１Ｂに示すように、櫛基部１８の幅方向両側にそれぞれ３列設けられる。
【００２２】
さらに図２Ａ、図２Ｂ、図３Ａ、図３Ｂを合わせて参照すると、櫛本体１４（あるいは櫛基部１８）は、図２Ａに側断面図を、図２Ｂに平面図をそれぞれ示す、櫛歯２０が立設される櫛歯立設部２２と、図３Ａに側断面図を、図３Ｂに平面図をそれぞれ示す拡大筒状案内部立設部２４とで構成される。
【００２３】
櫛歯立設部２２は、主面（天板）が楕円形状で深さの浅い蓋体状に形成される基部２６に上記の櫛歯２０が立設される。基部２６の奥部（図２Ａ中上方）には、枠体状の突部２８が形成され、さらに突部２８内の空間に連通する４つの孔３０ａ〜３０ｄが形成される。また、基部２６の両端に小孔３２ａ、３２ｂが形成される。
【００２４】
拡大筒状案内部立設部２４は、柄部３４と、柄部３４から図３Ａ、図３Ｂ中右方向に延出する基部３６とで構成される。柄部３４および基部３６を連通して上記中空部１６が形成される。柄部３４の中空部１６部分は、ノズル４０（図１Ａ参照）および図示しない容器本体１２内のバルブ機構を介して容器本体１２の内部に連通する。
拡大筒状案内部立設部２４は、基部３６の図３Ａ中上側の壁面３６ａに中空部１６に連通する４つの孔４２ａ〜４２ｄが、長手方向中央に１列にほぼ一定間隔に配列して形成される。ただし、これに限らず、４つの孔４２ａ〜４２ｄを交互に列を変えた千鳥状に配置してもよく、あるいはまた、４つの孔４２ａ〜４２ｄの径等とのバランスを考慮して離間間隔を変えて配置してもよい。４つの孔４２ａ〜４２ｄは、柄部３４、言い換えれば容器本体１２に最も近い孔４２ａから容器本体１２から最も遠い孔４２ｄに向けて径が次第に大きくなるように、すなわち径の寸法が径Ｄ１＜径Ｄ２＜径Ｄ３＜径Ｄ４となるように形成されている。これらの径Ｄ１〜Ｄ４の寸法は、各孔４２ａ〜４２ｄにおける毛髪化粧料の流動の圧力分布に基づく吐出圧力の違いを考慮し、各孔４２ａ〜４２ｄから毛髪化粧料が均等に吐出するように設計する。また、径Ｄ１〜Ｄ４の寸法は、吐出する毛髪化粧料が櫛歯２０の高さを超えて、外部に直接噴出して飛散することのない程度に、容器本体１２内の圧力を考慮して十分小さく設計する。
また、孔４２ａ〜４２ｄは、出口（図３Ａ中上方）に向けて径が拡大する拡大孔であり、拡大孔の拡大傾斜角が孔４２ａから孔４２ｄの順に次第に小さくなるように形成されている。ここで、孔４２ｄの拡大傾斜角は実質的に０度である。なお、これに限らず、孔４２ａ〜４２ｄは直管状に形成してもよい。
孔４２ａ〜４２ｄの外周に孔４２ａ〜４２ｄに連通して拡大筒状案内部４４ａ〜４４ｄが立設される。拡大筒状案内部４４ａ〜４４ｄは、チューリップの花の形状に形成される。ただし、これに限らず、拡大筒状案内部４４ａ〜４４ｄを、孔４２ａ〜４２ｄから遠い側の端部（図３Ａ中上方）を起点として孔４２ａ〜４２ｄ方向に向けて切り込んだスリットが形成された形状としてもよい。さらにまた、拡大筒状案内部４４ａ〜４４ｄは、必要に応じてスリットを省略してもよい。拡大筒状案内部４４ａ〜４４ｄは、図１Ａに示すように、櫛歯２０よりは低い高さに形成され、櫛歯２０、２０間に埋まった状態とされる。なお、孔４２ａ〜４２ｄの外周は枠体状の突部４６に形成される。
拡大筒状案内部立設部２４の長手方向両端には、１対の突起４８ａ、４８ｂが形成される。
【００２５】
図１Ａ、図１Ｂに示す櫛本体１４（あるいは櫛基部１８）は、上記のように構成される櫛歯立設部２２および拡大筒状案内部立設部２４を用い以下のように作製される。
すなわち、櫛歯立設部２２の突部２８の内側に拡大筒状案内部立設部２４の突部４６を嵌合して櫛歯立設部２２の孔３０ａ〜３０ｄから拡大筒状案内部４４ａ〜４４ｄを櫛歯２０の立設された側に露出するとともに、櫛歯立設部２２の小孔３２ａ、３２ｂに拡大筒状案内部立設部２４の突起４８ａ、４８ｂを挿通して、櫛歯立設部２２および拡大筒状案内部立設部２４が一体化された櫛本体１４が得られる。
なお、容器１０は、図１Ａ、図１Ｂに示す外観を呈するものである限り、上記櫛本体１４の組立て構造以外の適宜の構造であってもよいことは言うまでも無い。
【００２６】
容器１０には、図１Ａに示すように、操作ボタン（操作部）５０が設けられる。
操作ボタン５０を指で押すと、ヘッド部５０ａが使用時にノズル４０を押し下げて（図１Ａ中左方向に移動させる。）、容器本体１２内に設けられる図示しないバルブ機構を動作させて容器本体１２の内部と櫛基部１８の中空部１６とを連通状態とし、容器本体１２内の毛髪化粧料を吐出することができる。操作ボタン５０から指を離すと、容器本体１２内に設けられる図示しないばねに付勢されたノズル４０によって操作ボタン５０が押し上げられるとともに、毛髪化粧料の吐出が停止される。
容器１０は、操作ボタン５０の動きをロックするロック機構が設けられる。
すなわち、図４Ａの容器１０を上方向（図１Ａ中、矢印Ａ方向）から見た図および図４Ａから櫛本体１４および操作ボタン５０を取り外した状態を示す図４Ｂをさらに参照すると、操作ボタン５０の側面下部には断面山形状の突起５０ｂが形成されている。一方、櫛基部１８（あるいは櫛本体１４）と一体的に組み立てられる、樹脂製の環状部５２の操作ボタン５０が組み込まれる面５４には、操作ボタン５０を矢印方向Ｘ１−Ｘ２に回動可能な大きさを有する扇形状の開口５６が形成されるとともに、開口５６の外周の半分の範囲には突条５８が形成される。
そして、図４Ａ中、操作ボタン５０を矢印Ｘ１方向に回動した状態で、操作ボタン５０の突起５０ｂが突条５８に係合し、操作ボタン５０がロックされ、容器１０を使用しないときに誤って操作ボタン５０を押しても毛髪化粧料が容器１０から吐出することがない。一方、操作ボタン５０を矢印Ｘ２方向に回動すると、ロックが解除され、操作ボタン５０を操作することができる。
【００２７】
さらに図５の容器１０の部分図を参照すると、上記した樹脂製の環状部５２には、樹脂製のレバー部材６０が設けられる。レバー部材６０の下端（図５中、左端）には係止部６０ａが形成される。レバー部材６０は、環状部５２に形成される開口６２に向けて突出した連結部６４、６４を支持軸として図５中矢印Ｘ３−Ｘ４方向に回動可能に環状部５２に接続される。
一方、容器１０には、容器本体１２の上部に、容器本体１２に固着する環状部６６が設けられる。
そして、容器１０を組み立てるとき、矢印Ｘ３方向にレバー部材６０の上部を指で押して係止部６０ａを矢印Ｘ４方向に開いた状態で環状部６６に環状部５２を外嵌し、レバー部材６０から指を離して係止部６０ａを環状部６６の下端（（図５中、左端）に係止することで、櫛基部１８と一体的に組み立てられる樹脂製の環状部５２と容器本体１２に固着される樹脂製の環状部６６とが一体化され、容器１０が得られ、使用に供される。
繰り返しの使用により容器本体１２内に収容される毛髪化粧料が費消されて容器本体１２が空になると、矢印Ｘ３方向にレバー部材６０の上部を押して矢印Ｘ４方向に係止部６０ａを開いた状態で環状部６６から環状部５２を取り外すことで、樹脂製の櫛基部１８（あるいは櫛本体１４）および環状部５２を金属製の容器本体１２と容易に分離して、それぞれ分別リサイクルすることができる。
【００２８】
上記のように構成される本考案に係る櫛付き毛髪化粧料容器１０は、孔４２ａ〜４２ｄの寸法が、毛髪化粧料の吐出圧力を十分抑えることができる程度に小さく形成されているため、吐出する毛髪化粧料が櫛歯２０の高さを超えて、外部に直接噴出して、飛散することがない。
また、本考案に係る櫛付き毛髪化粧料容器１０は、使用時、櫛基部１４の中空部１６における毛髪化粧料の流動状態が容器本体１２に近い側から遠い側に向けて次第に圧力が低下する圧力分布を生じるが、孔４２ａ〜４２ｄの径が容器本体１２に近い側から遠い側に向けて次第に大きくなるように形成されるため、容器本体１２に近い側の例えば孔４２ａから吐出される毛髪化粧料に高い流動抵抗が与えられるとともに容器本体１２から遠い側の例えば孔４２ｄから吐出される毛髪化粧料に低い流動抵抗が与えられるので、４つの孔４２ａ〜４２ｄ全てから均一に毛髪化粧料を吐出することでき、櫛全体に均一に毛髪化粧料をいきわたらせることができる。
また、本考案に係る櫛付き毛髪化粧料容器１０は、孔の拡大傾斜角が孔４２ａから孔４２ｄの順に次第に小さくなるように形成されるため、容器本体１２に近い側の例えば孔４２ａから例えば孔４２ｄに比べて相対的にわずかに勢いよく毛髪化粧料が吐出しようとしても、拡大した孔４２ａの出口で勢いが抑えられるため、４つの孔４２ａ〜４２ｄ全てから均一に毛髪化粧料を吐出することでき、櫛全体に均一に毛髪化粧料をいきわたらせることができる。
さらにまた、本考案に係る櫛付き毛髪化粧料容器１０は、孔４２ａ〜４２ｄの外周にチューリップの花の形状の拡大筒状案内部４４ａ〜４４ｄが立設されるため、毛髪化粧料を花弁に沿って拡大筒状案内部４４ａ〜４４ｄの周囲に拡散し、さらにこのとき、拡大筒状案内部４４ａ〜４４ｄの高さが櫛歯２０の高さよりも低く形成されるため、高くそびえる櫛歯２０に毛髪化粧料をいきわたらせることができ、また、花弁の間の隙間から毛髪化粧料が流出することによっても周囲の櫛歯２０、２０に毛髪化粧料をいきわたらせることができる。
【図面の簡単な説明】
【００２９】
【図１Ａ】本考案に係る櫛付き毛髪化粧料容器の一部破断して示す全体側面図である。
【図１Ｂ】本考案に係る櫛付き毛髪化粧料容器の全体平面図である。
【図２Ａ】本考案に係る櫛付き毛髪化粧料容器の櫛歯立設部の側断面図である。
【図２Ｂ】本考案に係る櫛付き毛髪化粧料容器の櫛歯立設部の平面図である。
【図３Ａ】本考案に係る櫛付き毛髪化粧料容器の拡大筒状案内部立設部の側断面図である。
【図３Ｂ】本考案に係る櫛付き毛髪化粧料容器の拡大筒状案内部立設部の平面図である。
【図４Ａ】毛髪化粧料容器を図１Ａ中、矢印Ａ方向から見た図である。
【図４Ｂ】図４Ａの毛髪化粧料容器から櫛本体および操作ボタンを取り外した状態を示す図である。
【図５】毛髪化粧料容器の部分図である。
【符号の説明】
【００３０】
１０  毛髪化粧料容器
１２  容器本体
１４  櫛本体
１６  中空部
１８  櫛基部
２０  櫛歯
２２  櫛歯立設部
２４  拡大筒状案内部立設部
２６、３６  基部
２８  突部
３４  柄部
４０  ノズル
４２ａ〜４２ｄ  孔
４４ａ〜４４ｄ  拡大筒状案内部
５０  操作ボタン
５０ａ  ヘッド部
５０ｂ  突起
５２、６６  環状部
５８  突条
６０  レバー部材
６０ａ  係止部
【図１Ａ】
0003121212.tif 000003
【図１Ｂ】
0003121212.tif 000004
【図２Ａ】
0003121212.tif 000005
【図２Ｂ】
0003121212.tif 000006
【図３Ａ】
0003121212.tif 000007
【図３Ｂ】
0003121212.tif 000008
【図４Ａ】
0003121212.tif 000009
【図４Ｂ】
0003121212.tif 000010
【図５】
0003121212.tif 000011